(57)【要約】      （修正有）【課題】作業効率の向上を図った家具の設置構造を提供する。【解決手段】家具の設置構造１は、船舶居住区の設置面Ｆに設置されるものであり、家具を高さ調整可能な複数のアジャスター２を備え、家具は、家具本体１１と、家具本体の下面１４Ｂに固定される固定材１５と、家具本体と設置面との間に立設して設けられて固定材１５に固定される巾木１６と、を有し、巾木１６の上端縁１６ｕと家具本体の下面との間には隙間Ｓが設けられている。【選択図】図３
0003219568.tif 000002
【実用新案登録請求の範囲】
【請求項１】
船舶居住区の設置面に設置される家具の設置構造であって、
前記家具を高さ調整可能な複数のアジャスターを備え、
前記家具は、家具本体と、該家具本体の下面に固定される固定材と、前記家具本体と前記設置面との間に立設して設けられて前記固定材に固定される巾木と、を有し、
前記巾木の上端縁と前記家具本体の下面との間には隙間が設けられていることを特徴とする家具の設置構造。
【請求項２】
前記巾木と前記固定材とがタッカー留めまたはビス固定されていることを特徴とする請求項１に記載の家具の設置構造。
【請求項３】
前記巾木は、前記固定材に対して上下方向に位置決め可能であることを特徴とする請求項１または２に記載の家具の設置構造。
【請求項４】
前記巾木は、前記家具本体の前面より奥側に位置していることを特徴とする請求項１〜３のうち何れか一項に記載の家具の設置構造。
【考案の詳細な説明】
【技術分野】
【０００１】
本考案は、家具の設置構造に関する。
【背景技術】
【０００２】
従来、家具ユニットの下端部に巾木が取り付けられた家具が特許文献１に開示されている。
【０００３】
例えば、特許文献１に開示された従来の家具を船舶の居住空間に設置する場合には、当該居住空間の床は、船体の強度保持のためにアーチ状（シアー・キャンバー）となっているため、まず、壁基準で家具の水平をとりながら巾木の切断代をマーキングし、巾木を切断し易いように家具を横向けに倒す。そして、丸鋸等で巾木を切断し、再び家具を正位置に戻しつつ、壁基準で水平を確認しながら家具を固定する。
【先行技術文献】
【特許文献】
【０００４】
【特許文献１】実用新案登録第３０２７３７６号
【考案の概要】
【考案が解決しようとする課題】
【０００５】
しかしながら、従来の家具を船舶の居住空間に設置する場合には、家具を一旦横向けに倒して巾木を切断しなければならず、作業効率が悪かった。
【０００６】
本考案の目的は、作業効率の向上を図った家具の設置構造を提供することにある。
【課題を解決するための手段】
【０００７】
上記目的は、以下の本考案によって解決される。
即ち、本考案は、船舶居住区の設置面に設置される家具の設置構造であって、前記家具を高さ調整可能な複数のアジャスターを備え、前記家具は、家具本体と、該家具本体の下面に固定される固定材と、前記家具本体と前記設置面との間に立設して設けられて前記固定材に固定される巾木と、を有し、前記巾木の上端縁と前記家具本体の下面との間には隙間が設けられていることを特徴とする家具の設置構造である。
【０００８】
本考案においては、前記巾木と前記固定材とがタッカー留めまたはビス固定されていてもよい。これによれば、作業性よく巾木と固定材とを固定することができる。
【０００９】
さらに、本考案においては、前記巾木は、前記固定材に対して上下方向に位置決め可能であってもよい。これによれば、巾木を固定材の適宜な位置に固定することで、巾木の上端縁と家具本体の下面との間の隙間を適宜なものとすることができる。
【００１０】
また、本考案においては、前記巾木は、前記家具本体の前面より奥側に位置していてもよい。これによれば、居住者が前方から見たときに、前家具本体の下面と巾木の上端縁との隙間が見え難くなるので、家具の意匠性を確保しつつ、居住空間の奥行きを演出することができる。
【考案の効果】
【００１１】
本考案によれば、複数のアジャスターを調整しつつ壁基準で水平を決めながら、家具を定位置に設置することができる。また、巾木を床に沿わせつつ巾木を固定材にタッカー留めまたはビス固定した場合に、巾木の上端縁と家具の下面との間には、隙間が設けられているので、隙間によって床の歪み等が吸収される。これにより、意匠性を損なうことなく、家具を設置する際の作業効率の向上を図ることができる。
【図面の簡単な説明】
【００１２】
【図１】本考案の第１実施形態にかかる家具の設置構造を示す斜視図である。
【図２】図１に示された家具の設置構造を示す側面図である。
【図３】図１中のＩ−Ｉ線に沿う断面図である。
【図４】本考案の第２実施形態にかかる家具の設置構造を示す側面図である。
【図５】図４の要部を拡大して示す図である。
【考案を実施するための形態】
【００１３】
（第１実施形態）
以下、本考案の第１実施形態である家具の設置構造を、図１〜３を参照して説明する。家具の設置構造１は、図１に示すように、船舶居住区に設置されるものであり、ベッド１０（家具）と、ベッド１０の設置高さを調整するための図示例では４個（複数）のアジャスター２と、を備える。本実施形態では、家具として、ベッド１０を一例として説明する。船舶居住区は、図２に示すように、床Ｆ（設置面）と、床Ｆに立設されて四方を囲む壁Ｗと、を有している。床Ｆは、船体の強度保持のためにアーチ状（シアー・キャンバー）となっているため、ベッド１０は、壁Ｗを基準として水平が決められている。
【００１４】
ベッド１０は、図１、３に示すように、床Ｆに対向配置される下地材３を有するベッド本体１１（家具本体）と、下地材３の下面３Ｂ（図３に示す）に固定される角材１５（固定材）と、角材１５に固定されて下地材３に対して立設された巾木１６と、を有して構成されている。
【００１５】
ベッド本体１１は、図１に示すように、下地材３の上方に該下地材３に対向配置されてマットレスが載置される長方形状の敷板１２と、敷板１２の幅方向の一端（前端）に板状の立設されたリーボード１３と、下地材３と敷板１２と間に立設された図示例では４枚（複数枚）の中束１４、１４、１４、１４と、を有して構成されている。本実施形態では、敷板１２の長手方向の両端に、ヘッドボード１１１及びフットボード１１２が立設されている。本実施形態では、ベッド本体１１の敷板１２の長手方向を「左右方向」と記し、敷板１２の幅方向を「前後方向」と記し、これら「前後方向」と「左右方向」との双方に直交する方向を「上下方向」と記す場合がある。
【００１６】
各中束１４は、敷板１２と下地材３との間に立設して設けられている。４枚の中束１４、１４、１４、１４のうち左右の両端に位置する２枚は、ヘッドボード１１１及びフットボード１１２それぞれに重なって設けられている。４枚の中束１４、１４、１４、１４は、敷板１２と下地材３との間に、左右方向に並ぶ３個の収容空間を形成する。各収容空間には、前方に移動可能な引出し１７が設けられている。なお、本実施形態では、収容空間は２個設けられているが、収容空間の数は、船舶居住区の設計に応じて適宜の数だけ設けられていればよい。引出し１７が設けられていない部分には、リーボード１３が下方に延長される場合もある。または、船舶居住区の設計に応じて、引出し１７は省略される場合もある。この場合には、リーボード１３が下方に延長される場合もある。
【００１７】
引出し１７は、図１、３に示すように、上方に開口部を有する引出し本体１７０（図１に示す）と、引出し本体１７０の前端に設けられているとともに、引出し本体１７０から下方に突出する前板１７１と、を有して構成されている。前板１７１は、中束１４の前端面（不図示）より前方に位置している。前板１７１の下端１７ｂ（図３に示す）は、中束１４の下端面１４Ｂより下方に突出した位置にある。
【００１８】
ベッド本体１１において、リーボード１３の前面１３ｆ及び引出し１７の前面１７ｆは、前後方向の位置が略同じ位置になるように形成されている。以下では、リーボード１３の前面１３ｆ及び引出し１７の前面１７ｆを総称して、「ベッド本体１１の前面（家具本体の前面）」と記す場合がある。また、敷板１２の後端面１２ｂ及び中束１４の後端面１４ｂを「ベッド本体１１の後面」と記す場合がある。
【００１９】
下地材３は、長方形板状に形成されていて、幅方向が図中の前後方向に沿うとともに、長手方向が図中の左右方向に沿って設置されている。図２、３に示すように、下地材３は、中束１４の下端面１４Ｂ（家具本体の下面）において、ベッド本体１１の前面１３ｆ、１７ｆから奥側（後方）に離間した位置に固定されている。この下地材３は、図３に示すように、板厚が略１２ｍｍ（厚さＴ１）となるように形成された合板から構成されている。
【００２０】
角材１５は、切り口が長方形状の材木から構成されている。角材１５は、図３に示すように、切り口の縦寸法Ｌ１が略３５ｍｍ、横寸法Ｌ２が略２０ｍｍに形成されている。角材１５は、図３に示すように、下地材３の前端部に、左右方向に延在して設けられている。
【００２１】
巾木１６は、図３に示すように、平面視が長方形状の板厚が略２．５ｍｍ（厚さＴ２）の薄板から構成されている。巾木１６は、角材１５にタッカー留めされている。巾木１６が角材１５に固定された状態で、巾木１６は、ベッド本体１１の前面１３ｆ、１７ｆより略５０ｍｍ（寸法Ｌ３）だけ奥側（後方）に位置している。また、巾木１６の左右方向の両端部において、前後方向に巾木１６が延長される場合もある。以下では、巾木１６と角材１５とがタッカー留めにより固定された部分を「固着部１８」と記す。また、本実施形態では、巾木１６と角材１５とがタッカー留めされているが、巾木１６と角材１５はビス固定されていてもよく、ボルト固定されていてもよい。または、両面テープを用いて固定されていてもよく、接着剤を用いて固定されていてもよい。また、本実施形態では、巾木１６は、略２．５ｍｍの薄板から構成されているが、本考案はこれに限定されるものではない。巾木の板厚は、家具本体の設計に応じて、２．５ｍｍ〜１４ｍｍの間で適宜な寸法にすればよい。巾木の板厚が略１４ｍｍの場合には、巾木と角材１５はビス固定されていてもよい。
【００２２】
複数のアジャスター２は、ベッド１０の適宜な位置に設けられている。本実施形態では、アジャスター２は８個設けられている。図示はしていないが、複数のアジャスター２が、前後方向に間隔をあけて一対設けられ、左右方向に並んで設けられている。また、これらのアジャスター２は、ベッド本体１１の前面１３ｆ、１７ｆ及び、ベッド本体１１の後面１２ｂ、１４ｂから内方に離間した位置に設けられている。各アジャスター２は、図２に示すように、不図示の雌ねじが切られた内周面を有するナット２１と、雌ねじに螺合する雄ねじが切られたボルト２２と、ボルト２２の下端に設けられて床Ｆに設置される脚部２３と、を有して構成されている。このような各アジャスター２は、ナット２１に対してボルト２２を回転させることで、脚部２３の上下位置の変更が可能になっている。本実施形態では、アジャスター２は８個設けられているが、アジャスターは、設置する家具の大きさに応じて適宜な数だけ設けてもよい。
【００２３】
このような家具の設置構造１は、以下の手順で組み立てる。
【００２４】
まず、図１に示すように、ベッド本体１１を下地材３が床Ｆに対向配置され、ベッド本体１１の後面１２ｂ、１４ｂが壁Ｗに対向する位置にベッド１０をセットする。図３に示すように、アジャスター２を、ベッド本体１１の所定の位置に設置して、各アジャスター２の脚部２３の上下の位置を調整しながら、壁Ｗ基準で水平を決める。ここで、巾木１６を上下寸法が適宜な寸法となるように予め切断しておく。この後、床Ｆに沿わせつつ角材１５の前面に巾木１６をタッカー留めする。巾木１６の上端縁１６ｕと中束１４の下端面１４Ｂ（家具本体の下面）との間には、隙間Ｓが設けられる。当該隙間Ｓによって床Ｆの歪み等が吸収される。こうして、ベッド１０を設置する。
【００２５】
上述した実施形態によれば、複数のアジャスター２を調整しつつ壁Ｗ基準で水平を決めながら、ベッド１０（家具）を定位置に設置することができる。また、巾木１６を床に沿わせつつ巾木１６を角材１５（固定材）にタッカー留めした際に、巾木１６の上端縁１６ｕと中束１４の下端面１４Ｂ（家具本体の下面）との間には、隙間Ｓが設けられているので、隙間Ｓによって床Ｆの歪み等が吸収される。これにより、従来技術の如く、家具を一旦横向けに倒して巾木を切断することなく、ベッド１０（家具）を設置することができる。従って、意匠性を損なうことなく、ベッド１０（家具）を設置する際の作業効率の向上を図ることができる。
【００２６】
また、巾木１６と角材１５（固定材）とがタッカー留めまたはビス固定されている。これによれば、作業性よく巾木１６と角材１５とを固定することができる。
【００２７】
また、巾木１６は、角材１５（固定材）に対して上下方向に位置決め可能である。これによれば、巾木１６を角材１５の適宜な位置に固定することで、巾木１６の上端縁１６ｕと中束１４の下端面１４Ｂ（家具本体の下面）との間の隙間Ｓを適宜なものとすることができる。
【００２８】
また、巾木１６は、ベッド本体１１の前面１３ｆ、１７ｆ（家具本体の前面）より後方側（奥側）に位置している。これによれば、居住者が前方から見たときに、巾木１６の上端縁１６ｕと中束１４の下端面１４Ｂ（家具本体の下面）との間の隙間Ｓが見え難くなるので、ベッド１０（家具）の意匠性を確保しつつ、居住空間の奥行きを演出することができる。
【００２９】
さらに、本実施形態では、図３に示すように、引出し１７の前板１７１の下端１７ｂが、中束１４の下端面１４Ｂより下方に突出した位置にある。これによれば、巾木１６の上端縁１６ｕと中束１４の下端面１４Ｂ（家具本体の下面）との間の隙間Ｓが、より一層、居住者から見え難くなるので、より一層、ベッド１０（家具）の意匠性を確保しつつ、居住空間の奥行きを演出することができる。
【００３０】
なお、上述した実施形態では、図３に示すように、巾木１６の上端縁１６ｕは、角材１５の上端縁と略同じ高さ位置になるように固定されているが、本考案はこれに限定されるものではない。巾木１６は、角材１５の上下寸法の適宜な位置に固定されていればよい。即ち、巾木１６の上端縁１６ｕは、下地材３に位置していてもよい。このように、巾木１６は、角材１５（固定材）に対して上下方向に位置決め可能であってもよい。
【００３１】
（第２実施形態）
続いて、第２実施形態である家具の設置構造１Ａを、図４、５を参照して説明する。家具の設置構造１Ａは、図４に示すように、船舶居住区に設置されるものであり、クローゼット３０（家具）と、クローゼット３０の設置高さを調整するための複数のアジャスター２と、を備える。
【００３２】
クローゼット３０は、壁Ｗに対向配置される奥板３１を有するとともに前方に不図示の開口部を有するクローゼット本体（家具本体）３２と、クローゼット本体３２の底面３２Ｂに固定される角材１５（固定材）と、各角材１５に固定されて底面３２Ｂに対して立設された巾木１６と、を有して構成されている。本実施形態では、角材１５及びアジャスター２がクローゼット本体３２の底面３２Ｂに直接固定されている。さらに、クローゼット本体３２は、開口部を開閉させる扉部３３を有している。図５に示すように、巾木１６は、扉部３３の前面３３ｆ（家具本体の前面）より後方側（奥側）に位置している。家具としてのクローゼット３０は、第１実施形態と同様、壁Ｗを基準として水平が決められている。これによれば、第１実施形態と略同様の効果が奏される。
【００３３】
ここで、図５に示すように、扉部３３の下端３３ｂは、クローゼット本体３２の底面３２Ｂと略同じ高さ位置になっている。即ち、本実施形態のクローゼット３０は、扉部３３の下端３３ｂが、クローゼット本体３２の底面３２Ｂに対して突出しない位置にある。このように、扉部３３の下端３３ｂが、クローゼット本体３２の底面３２Ｂに対して突出しない位置にあっても、複数のアジャスター２を調整しつつ壁Ｗ基準で水平を決めながら、意匠性を損なうことなく、クローゼット３０（家具）を定位置に設置することができる。即ち、家具として、フラットな底面を有しているものであれば、机や鏡台、戸棚等の如何なる家具にも、本考案の家具の設置構造１、１Ａを適用することができる。
【００３４】
また、上述した家具の設置構造１、１Ａが、さらに、タッカー留めされた固着部１８の前面を覆う化粧材を有していてもよい。これによれば、より一層、意匠性を損なうことが抑制される。
【００３５】
前述した各実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の構成を具備する限り、勿論、本考案の範疇に含まれるものである。
【符号の説明】
【００３６】
１、１Ａ        家具の設置構造
２              アジャスター
１０            ベッド（家具）
１１            ベッド本体（家具本体）
１４Ｂ           中束の下端面（家具本体の下面）
１３ｆ、１７ｆ   ベッド本体の前面
１５             角材（固定材）
１６             巾木
１６ｕ           巾木の上端縁
３０             クローゼット（家具）
３２             クローゼット本体（家具本体）
３２Ｂ           クローゼット本体の底面（家具本体の下面）
３３ｆ           扉部の前面（家具本体の前面）
Ｓ               隙間
Ｆ               床（設置面）
【図１】
0003219568.tif 000003
【図２】
0003219568.tif 000004
【図３】
0003219568.tif 000005
【図４】
0003219568.tif 000006
【図５】
0003219568.tif 000007